(57)【要約】【課題】ＨＡＲＱによりパケットの再送制御が行われる無線通信システムにおいて、「ＤＴＸ−ＡＣＫ」エラーを効率良く回避する。【解決手段】、ＨＡＲＱ情報の送信側となる無線端末装置１００のＨＡＲＱ情報判定部１１０は、送信するＨＡＲＱ情報を、ＡＣＫ、ＮＡＣＫ、ＤＴＸのいずれにすべきかを判定する。ＰＵＳＣＨを生成して送信するＰＵＳＣＨ生成送信部１２０は、ＨＡＲＱ情報とＰＵＳＣＨの送信タイミングが重なったときに、ＨＡＲＱ情報判定部１１０の判定結果に応じて、ＰＵＳＣＨに含まれるパケットデータの所定の部分の置換えを行う。ＨＡＲＱ情報判定部１１０は、該置換えに際して、ＨＡＲＱ情報判定部１１０によりＤＴＸと判定されているときに、上記所定の部分を空白に変更するか、該所定の部分を、ＮＡＣＫを示すデータに変更する。【選択図】図１
2014183357.tif 000002
【特許請求の範囲】
【請求項１】
ＨＡＲＱ（Ｈｙｂｒｉｄ  Ａｕｔｏｍａｔｉｃ  Ｒｅｐｅａｔ  Ｒｅｑｕｅｓｔ）によりパケットの再送制御が行われる無線通信システムにおける無線端末装置であって、
無線基地局に送信するＨＡＲＱ情報を、ＡＣＫ（Ｐｏｓｉｔｉｖｅ  Ａｃｋｎｏｗｌｅｄｇｅｍｅｎｔ）、ＮＡＣＫ（Ｎｅｇａｔｉｖｅ  Ａｃｋｎｏｗｌｅｄｇｅｍｅｎｔ）、ＤＴＸ（Ｄｉｓｃｏｎｔｉｎｕｏｕｓ  Ｔｒａｎｓｍｉｓｓｉｏｎ）のいずれにすべきかを判定するＨＡＲＱ情報判定部と、
ＰＵＳＣＨ（Ｐｈｙｓｉｃａｌ  Ｕｐｌｉｎｋ  Ｓｈａｒｅｄ  ＣＨａｎｎｅｌ）を生成して送信するＰＵＳＣＨ生成送信部とを備え、
前記ＰＵＳＣＨ生成送信部は、
前記ＨＡＲＱ情報と前記ＰＵＳＣＨの送信タイミングが重なったときに、前記ＨＡＲＱ情報判定部の判定結果に応じて、前記ＰＵＳＣＨに含まれるパケットデータの所定の部分の置換えを行い、
前記置換えに際して、前記ＨＡＲＱ情報判定部によりＤＴＸと判定されているときに、前記所定の部分を空白に変更するか、該所定の部分を、ＮＡＣＫを示すデータに変更することを特徴とする無線端末装置。
【請求項２】
前記ＰＵＳＣＨ生成送信部は、
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）変調前の前記パケットデータに対して前記置換えを行うことを特徴とする請求項１に記載の無線端末装置。
【請求項３】
ＨＡＲＱ（Ｈｙｂｒｉｄ  Ａｕｔｏｍａｔｉｃ  Ｒｅｐｅａｔ  Ｒｅｑｕｅｓｔ）によりパケットの再送制御が行われる無線通信システムにおける無線基地局であって、
無線端末装置から受信したＰＵＳＣＨ（Ｐｈｙｓｉｃａｌ  Ｕｐｌｉｎｋ  Ｓｈａｒｅｄ  ＣＨａｎｎｅｌ）を復号する復号部と、
前記ＰＵＳＣＨにＨＡＲＱ情報が含まれているときに、前記復号部により復号された前記ＰＵＳＣＨに含まれるパケットデータの所定の部分のデータに基づいてＨＡＲＱ情報の判定を行うＨＡＲＱ情報検出部とを有し、
前記ＨＡＲＱ情報検出部は、
前記パケットデータの前記所定の部分のデータが空白ある場合に、前記ＨＡＲＱ情報がＤＴＸを示すと判定することを特徴とする無線基地局。
【請求項４】
無線基地局と無線端末装置を備え、ＨＡＲＱ（Ｈｙｂｒｉｄ  Ａｕｔｏｍａｔｉｃ  Ｒｅｐｅａｔ  Ｒｅｑｕｅｓｔ）によりパケットの再送制御が行われる無線通信システムであって、
前記無線端末装置は、
前記無線基地局に送信するＨＡＲＱ情報を、ＡＣＫ（Ｐｏｓｉｔｉｖｅ  Ａｃｋｎｏｗｌｅｄｇｅｍｅｎｔ）、ＮＡＣＫ（Ｎｅｇａｔｉｖｅ  Ａｃｋｎｏｗｌｅｄｇｅｍｅｎｔ）、ＤＴＸ（Ｄｉｓｃｏｎｔｉｎｕｏｕｓ  Ｔｒａｎｓｍｉｓｓｉｏｎ）のいずれにすべきかを判定するＨＡＲＱ情報判定部と、
ＰＵＳＣＨ（Ｐｈｙｓｉｃａｌ  Ｕｐｌｉｎｋ  Ｓｈａｒｅｄ  ＣＨａｎｎｅｌ）を生成して送信するＰＵＳＣＨ生成送信部とを備え、
前記ＰＵＳＣＨ生成送信部は、
前記ＨＡＲＱ情報と前記ＰＵＳＣＨの送信タイミングが重なったときに、前記ＨＡＲＱ情報判定部の判定結果に応じて、前記ＰＵＳＣＨに含まれるパケットデータの所定の部分の置換えを行い、
前記置換えに際して、前記ＨＡＲＱ情報判定部によりＤＴＸと判定されているときに、前記所定の部分を空白に変更するか、該所定の部分を、ＮＡＣＫを示すデータに変更し、
前記無線基地局は、
前記無線端末装置から受信した前記ＰＵＳＣＨにＨＡＲＱ情報が含まれている場合に、前記ＰＵＳＣＨに含まれるパケットデータの前記所定の部分のデータに基づいてＨＡＲＱ情報の判定を行うことを特徴とする無線通信システム。
【請求項５】
ＨＡＲＱ（Ｈｙｂｒｉｄ  Ａｕｔｏｍａｔｉｃ  Ｒｅｐｅａｔ  Ｒｅｑｕｅｓｔ）によりパケットの再送制御が行われる無線通信システムの無線端末装置による通信方法において、
無線基地局に送信するＨＡＲＱ情報を、ＡＣＫ（Ｐｏｓｉｔｉｖｅ  Ａｃｋｎｏｗｌｅｄｇｅｍｅｎｔ）、ＮＡＣＫ（Ｎｅｇａｔｉｖｅ  Ａｃｋｎｏｗｌｅｄｇｅｍｅｎｔ）、ＤＴＸ（Ｄｉｓｃｏｎｔｉｎｕｏｕｓ  Ｔｒａｎｓｍｉｓｓｉｏｎ）のいずれにすべきかを判定するＨＡＲＱ情報判定ステップと、
ＰＵＳＣＨ（Ｐｈｙｓｉｃａｌ  Ｕｐｌｉｎｋ  Ｓｈａｒｅｄ  ＣＨａｎｎｅｌ）を生成して送信するＰＵＳＣＨ生成送信ステップとを有し、
前記ＰＵＳＣＨ生成送信ステップにおいて、
前記ＨＡＲＱ情報と前記ＰＵＳＣＨの送信タイミングが重なったときに、前記ＨＡＲＱ情報判定部の判定結果に応じて、前記ＰＵＳＣＨに含まれるパケットデータの所定の部分の置換えを行い、
前記置換えに際して、前記ＨＡＲＱ情報判定部によりＤＴＸと判定されているときに、前記所定の部分を空白に変更するか、該所定の部分を、ＮＡＣＫを示すデータに変更することを特徴とする通信方法。
【請求項６】
ＨＡＲＱ（Ｈｙｂｒｉｄ  Ａｕｔｏｍａｔｉｃ  Ｒｅｐｅａｔ  Ｒｅｑｕｅｓｔ）によりパケットの再送制御が行われる無線通信システムの無線基地局による通信方法において、
無線端末装置から受信したＰＵＳＣＨ（Ｐｈｙｓｉｃａｌ  Ｕｐｌｉｎｋ  Ｓｈａｒｅｄ  ＣＨａｎｎｅｌ）を復号する復号ステップと、
前記ＰＵＳＣＨにＨＡＲＱ情報が含まれているときに、前記復号部により復号された前記ＰＵＳＣＨに含まれるパケットデータの所定の部分のデータに基づいてＨＡＲＱ情報の判定を行うＨＡＲＱ情報検出ステップとを有し、
前記ＨＡＲＱ情報検出ステップにおいて、
前記パケットデータの前記所定の部分のデータが空白ある場合に、前記ＨＡＲＱ情報がＤＴＸを示すと判定することを特徴とする通信方法。
【請求項７】
ＨＡＲＱ（Ｈｙｂｒｉｄ  Ａｕｔｏｍａｔｉｃ  Ｒｅｐｅａｔ  Ｒｅｑｕｅｓｔ）によりパケットの再送制御が行われる無線通信システムの無線端末装置による通信時に、
無線基地局に送信するＨＡＲＱ情報を、ＡＣＫ（Ｐｏｓｉｔｉｖｅ  Ａｃｋｎｏｗｌｅｄｇｅｍｅｎｔ）、ＮＡＣＫ（Ｎｅｇａｔｉｖｅ  Ａｃｋｎｏｗｌｅｄｇｅｍｅｎｔ）、ＤＴＸ（Ｄｉｓｃｏｎｔｉｎｕｏｕｓ  Ｔｒａｎｓｍｉｓｓｉｏｎ）のいずれにすべきかを判定するＨＡＲＱ情報判定ステップと、
ＰＵＳＣＨ（Ｐｈｙｓｉｃａｌ  Ｕｐｌｉｎｋ  Ｓｈａｒｅｄ  ＣＨａｎｎｅｌ）を生成して送信するＰＵＳＣＨ生成送信ステップとをコンピュータに実行せしめ、
前記ＰＵＳＣＨ生成送信ステップは、
前記ＨＡＲＱ情報と前記ＰＵＳＣＨの送信タイミングが重なったときに、前記ＨＡＲＱ情報判定部の判定結果に応じて、前記ＰＵＳＣＨに含まれるパケットデータの所定の部分の置換えを行い、
前記置換えに際して、前記ＨＡＲＱ情報判定部によりＤＴＸと判定されているときに、前記所定の部分を空白に変更するか、該所定の部分を、ＮＡＣＫを示すデータに変更する処理を含むことを特徴とするプログラム。
【請求項８】
ＨＡＲＱ（Ｈｙｂｒｉｄ  Ａｕｔｏｍａｔｉｃ  Ｒｅｐｅａｔ  Ｒｅｑｕｅｓｔ）によりパケットの再送制御が行われる無線通信システムの無線基地局による通信時に、
無線端末装置から受信したＰＵＳＣＨ（Ｐｈｙｓｉｃａｌ  Ｕｐｌｉｎｋ  Ｓｈａｒｅｄ  ＣＨａｎｎｅｌ）を復号する復号ステップと、
前記ＰＵＳＣＨにＨＡＲＱ情報が含まれているときに、前記復号部により復号された前記ＰＵＳＣＨに含まれるパケットデータの所定の部分のデータに基づいてＨＡＲＱ情報の判定を行うＨＡＲＱ情報検出ステップとをコンピュータに実行せしめ、
前記ＨＡＲＱ情報検出ステップは、
前記パケットデータの前記所定の部分のデータが空白ある場合に、前記ＨＡＲＱ情報がＤＴＸを示すと判定する処理を含むことを特徴とするプログラム。
【発明の詳細な説明】
【技術分野】
【０００１】
本発明は、無線通信技術、特にＨＡＲＱ（Ｈｙｂｒｉｄ  Ａｕｔｏｍａｔｉｃ  Ｒｅｐｅａｔ  Ｒｅｑｕｅｓｔ）によりパケットの再送制御が行われる無線通信技術に関する。
【背景技術】
【０００２】
急速に発展を遂げている無線移動通信の分野において、標準化団体である３ＧＰＰ（３ｒｄ    Ｇｅｎｅｒａｔｉｏｎ  Ｐａｒｔｎｅｒｓｈｉｐ  Ｐｒｏｊｅｃｔ）により、次世代高速移動通信方式として、ＬＴＥ（Ｌｏｎｇ  Ｔｅｒｍ  Ｅｖｏｌｕｔｉｏｎ）方式の標準化が進められている。ＬＴＥ方式は、第３世代の移動体通信方式であるＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式や、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式及びＨＳＵＰＡ（Ｈｉｇｈ  Ｓｐｅｅｄ  Ｕｐｌｉｎｋ  Ｐａｃｋｅｔ  Ａｃｃｅｓｓ）方式の後継として、より高レート且つ低遅延なパケット伝送に特化した無線通信方式として期待されている（非特許文献１）。
【０００３】
ＬＴＥ方式で用いられる物理チャネルは、基地局からＵＥ（ユーザ端末。以下単に「端末」という）に送信されるダウンリンクの物理チャネルとして、報知情報を送信するＰＢＣＨ（Ｐｈｙｓｉｃａｌ  Ｂｒｏａｄｃａｓｔ  ＣＨａｎｎｅｌ）、ダウンリンクのパケットデータをデコードするための情報を送信するＰＤＣＣＨ（Ｐｈｙｓｉｃａｌ  Ｄｏｗｎｌｉｎｋ  Ｃｏｎｔｒｏｌ  ＣＨａｎｎｅｌ）、ＰＤＣＣＨをデコードするための情報を送信するＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ダウンリンクのパケットデータを送信するＰＤＳＣＨ（Ｐｈｙｓｉｃａｌ  Ｄｏｗｎｌｉｎｋ  Ｓｈａｒｅｄ  ＣＨａｎｎｅｌ）、後述するＰＵＳＣＨのＣＲＣチェックの結果を送信するＰＨＩＣＨ（Ｐｈｙｓｉｃａｌ  Ｈｙｂｒｉｄ−ａｒｑ  Ｉｎｄｉｃａｔｏｒ  ＣＨａｎｎｅｌ）が規定されている。
【０００４】
また、端末から基地局に送信されるアップリンクの物理チャネルとして、アップリンクと同期を取り、電力制御を行うために送るＰＲＡＣＨ（Ｐｈｙｓｉｃａｌ  Ｒａｎｄｏｍ  Ａｃｃｅｓｓ  ＣＨａｎｎｅｌ）、ＰＤＳＣＨのデコード状況をＡＣＫ／ＮＡＣＫ／ＤＴＸとして通知するＨＡＲＱ情報や受信品質を示すＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）やＲＩ（Ｒａｎｋ  Ｉｎｄｉｃａｔｏｒ）を送信するＰＵＣＣＨ（Ｐｈｙｓｉｃａｌ  Ｕｐｌｉｎｋ  Ｃｏｎｔｒｏｌ  ＣＨａｎｎｅｌ）、ＰＵＣＣＨに含まれる情報に加え、アップリンクのパケットデータを送信するＰＵＳＣＨ（Ｐｈｙｓｉｃａｌ  Ｕｐｌｉｎｋ  Ｓｈａｒｅｄ  ＣＨａｎｎｅｌ）が規定されている。なお、ＰＵＣＣＨとＰＵＳＣＨは、アップリンクのパケットデータの有無により、どちらか一方が送信される。
【０００５】
ＬＴＥ方式において、端末が基地局から受信する際の動作は、下記のようになっている。端末は、基地局から送信されるＰＢＣＨの受信後にＰＣＦＩＣＨを受信し、ＰＣＦＩＣＨから検出したＣＦＩ値（ＣＦＩ：Ｃｏｎｔｒｏｌ  Ｆｏｒｍａｔ  Ｉｎｄｉｃａｔｏｒ）に基づいて、ＰＤＣＣＨのマッピングされているＯＦＤＭ（（Ｏｒｔｈｏｇｏｎａｌ  Ｆｒｅｑｕｅｎｃｙ  Ｄｉｖｉｓｉｏｎ  Ｍｕｌｔｉｐｌｅｘ））シンボル数を確認し、自身向けのＰＤＣＣＨの検出を行う。そして、端末は、自身向けのＰＤＣＣＨが検出できたら、検出したダウンリンク制御情報によりＰＤＳＣＨの受信を開始する。
【０００６】
また、ＬＴＥ方式において、端末が基地局に送信する際の動作は、下記のようになっている。端末は、アップリンクのパケットデータがない場合は、ＰＵＣＣＨを送信する。一方、アップリンクのパケットデータがある場合は、端末は、ＰＤＳＣＨを受信するための処理と同様に、自身向けのＰＤＣＣＨの検出を行うと共に、自身向けのＰＤＣＣＨが検出できたら、検出したアップリンク制御情報によりＰＵＳＣＨの送信を開始する。また、この場合、基地局は、受信したＰＵＳＣＨに対してＣＲＣチェックを行い、その結果をＰＨＩＣＨで端末に送信する。端末は、基地局からのＰＨＩＣＨのＣＲＣチェックの結果を基に、アップリンクのパケットデータの再送制御を行う。
【０００７】
ＬＴＥ方式では、ＨＳＤＰＡ方式及びＨＳＵＰＡ方式と同様に、ＨＡＲＱ（Ｈｙｂｒｉｄ  Ａｕｔｏｍａｔｉｃ  Ｒｅｐｅａｔ  Ｒｅｑｕｅｓｔ）によるパケットの再送制御が採用されている。
【０００８】
端末は、基地局から受信したＰＣＦＩＣＨ、ＰＤＣＣＨ、ＰＤＳＣＨに対してＣＲＣチェックを行い、これらのＣＲＣチェックの結果を基に、ＨＡＲＱ情報を生成して基地局に送信する。ＨＡＲＱ情報としては、ＰＤＳＣＨの受信が成功したことを示すＡＣＫ（Ｐｏｓｉｔｉｖｅ  Ａｃｋｎｏｗｌｅｄｇｅｍｅｎｔ）、ＰＤＳＣＨの受信が失敗したことを示すＮＡＣＫ（Ｎｅｇａｔｉｖｅ  Ａｃｋｎｏｗｌｅｄｇｅｍｅｎｔ）がある。基地局は、ＨＡＲＱ情報としてＡＣＫを受信した場合には再送をせず、ＨＡＲＱ情報としてＮＡＣＫを受信した場合には再送を行う。
【０００９】
ところが、端末は、ＰＤＣＣＨの受信が失敗した場合、基地局によるＰＤＳＣＨの送信を認識することができず、ＰＤＳＣＨの受信処理を行うことができないため、ＡＣＫとＮＡＣＫのいずれの送信も行わない。そのため、基地局においては、ＡＣＫ及びＮＡＣＫの判定に加え、端末がＰＤＣＣＨの受信を失敗し、ＡＣＫ／ＮＡＣＫを送信しない状態所謂ＤＴＸの判定も必要である。
【００１０】
また、前述したように、アップリンクのデータ通信において、基地局は、ＰＤＣＣＨを用いてアップリンクチャネル送信情報（Ｕｐｌｉｎｋ  Ｇｒａｎｔ）を端末に送信し、端末は、その情報に基づいて、アップリンクのパケットデータを含むＰＵＳＣＨ（アップリンクのパケットデータが無い場合にはＰＵＣＣＨ）を基地局に送信する。
【００１１】
基地局からのＰＤＳＣＨの受信と、基地局へのＰＵＳＣＨの送信が同じタイミングとなった場合、すなわち、ＡＣＫ／ＮＡＣＫの送信タイミングと、ＰＵＳＣＨの送信タイミングとが重なった場合、端末は、ＡＣＫ／ＮＡＣＫと、ＰＵＳＣＨとを同時に基地局に送信する必要がある。しかし、ＬＴＥでは、低ＰＡＰＲ（Ｐｅａｋ  ｔｏ  Ａｖｅｒａｇｅ  Ｐｏｗｅｒ  Ｒａｔｉｏ：信号のピーク電力と平均電力との比）を実現するために、ＰＵＳＣＨは、シングルキャリア送信となっている。周波数時軸上でＡＮＣ／ＮＡＣＫと、ＰＵＳＣＨとを多重して同時送信することが、ＰＡＰＲを増大させてしまうため、この場合、端末は、ＡＣＫ／ＮＡＣＫと、アップリンクのパケットデータとを、ＰＵＳＣＨ内で時間軸上に多重して送信する必要がある。
【００１２】
以上のことから、ＬＴＥでは、ＰＵＳＣＨ内のアップリンクのパケットデータにＡＣＫ／ＮＡＣＫを上書きして送信することが行われている。具体的には、端末は、基地局からのＰＤＣＣＨに含まれるアップリンクチャネル送信情報（Ｕｐｌｉｎｋ  Ｇｒａｎｔ）に従ってパケットデータを作成すると共に、送信すべきＡＣＫ／ＮＡＣＫがある場合には、パケットデータの一部をＡＣＫ／ＮＡＣＫシンボルで上書きして送信する。
【００１３】
一方、送信すべきＡＣＫ／ＮＡＣＫが無い場合には、すなわちＤＴＸ（Ｄｉｓｃｏｎｔｉｎｕｏｕｓ  Ｔｒａｎｓｍｉｓｓｉｏｎ）のときに、端末は、上述した上書きをせずに、作成したパケットデータをそのまま送信する。
【００１４】
しかし、基地局は、ＰＤＳＣＨを送信し続ける間において、ＰＵＳＣＨのＨＡＲＱ情報を常にデコードするため、ＤＴＸの場合においては、パケットデータをＨＡＲＱ情報としてデコードし、ＡＣＫまたはＮＡＣＫと誤検出してしまう可能性がある。ＤＴＸをＡＣＫとＮＡＣＫと誤検出してしまうことを夫々「ＤＴＸ−ＡＣＫ」エラー、「ＤＴＸ−ＮＡＣＫ」エラーという。
【００１５】
基地局側で「ＤＴＸ−ＡＣＫ」エラーとなった場合、基地局から再送が行われないため、受信が失敗したパケットデータが欠落したままになる。
【００１６】
特許文献１には、データ信号の送信効率を落とさずに、ＨＡＲＱ情報を受信する基地局におけるＨＡＲＱ情報の検出精度を高める手法が開示されている。該手法を適用した無線通信システムでは、基地局と端末は、下記のように動作する。
【００１７】
基地局は、端末から受信した信号から上りＳＩＲ（Ｓｉｇｎａｌ  ｔｏ  Ｉｎｔｅｒｆａｃｅ  ｐｏｗｅｒ  Ｒａｔｉｏ：対干渉電力比）を測定し、測定した上りＳＩＲに基づいてＭＣＳ（Ｍｏｄｕｌａｔｉｏｎ  ａｎｄ  Ｃｏｄｉｎｇ  Ｓｃｈｅｍｅ：変調方式及びチャネル符号化率の組合せ）を決定すると共に、決定したＭＣＳをアップリンクチャネル送信情報（Ｕｐｌｉｎｋ  Ｇｒａｎｔ）に含めて、ＰＤＣＣＨを用いて端末に送信する。
【００１８】
端末は、基地局から受信したアップリンクチャネル送信情報（Ｕｐｌｉｎｋ  Ｇｒａｎｔ）に含まれるＭＣＳに応じて、ＡＣＫ／ＮＡＣＫの送信フォーマットを決定する。具体的には、ＭＣＳが閾値未満か閾値以上かに応じて、送信フォーマットを第１のフォーマットと第２のフォーマットのいずれか一方に決定する。
【００１９】
第１のフォーマットは、ＡＣＫ／ＮＡＣＫでＰＵＳＣＨのパケットデータの一部を上書きしてＰＵＳＣＨを送信するフォーマットであり、第２のフォーマットは、ＰＵＳＣＨに、パケットデータの領域以外に、ＨＡＲＱ情報の領域を確保し、確保された該領域内にＨＡＲＱ情報を書き込んで送信するフォーマットである。
【先行技術文献】
【特許文献】
【００２０】
【特許文献１】特開２０１０−２８３６９８号公報
【非特許文献】
【００２１】
【非特許文献１】３ＧＰＰ  ＴＳ３６．３２１  Ｖ８．４．０（２００８−１２）  Ｔｅｃｈｎｉｃａｌ  Ｓｐｅｃｔｉｆｉｃａｔｉｏｎ
【発明の概要】
【発明が解決しようとする課題】
【００２２】
しかし、特許文献１による手法は、基地局は、上りＳＩＲの測定、測定したＳＩＲに基づいたＭＣＳの決定、決定したＭＣＳを端末へ送信するなどの作業を端末毎に行う必要があり、特に端末の数が多い場合に、基地局の負担が大きい。
【００２３】
また、ＰＵＳＣＨについて２つのフォーマットを選択的に使用されるため、基地局と端末は、２つのフォーマットの両方に対応する必要があり、基地局の負担が一層大きくなるとと共に、端末の負担も大きくなる。
【００２４】
また、ＡＣＫ／ＮＡＣＫでＰＵＳＣＨのパケットデータの一部を上書きしてＰＵＳＣＨを送信する第１のフォーマットの場合、「ＤＴＸ−ＡＣＫ」エラーが発生する問題は、相変わらず存在する。
【００２５】
本発明は、上記事情に鑑みてなされたものであり、ＨＡＲＱによりパケットの再送制御が行われる無線通信システムにおいて、「ＤＴＸ−ＡＣＫ」エラーを効率良く回避する技術を提供する。
【課題を解決するための手段】
【００２６】
本発明の１つの態様は、ＨＡＲＱによりパケットの再送制御が行われる無線通信システムにおける無線端末装置であり、ＨＡＲＱ情報判定部と、ＰＵＳＣＨを生成して送信するＰＵＳＣＨ生成送信部とを備える。
【００２７】
ＨＡＲＱ情報判定部は、無線基地局に送信するＨＡＲＱ情報を、ＡＣＫ、ＮＡＣＫ、ＤＴＸのいずれにすべきかを判定する。
【００２８】
ＰＵＳＣＨ生成送信部は、ＨＡＲＱ情報とＰＵＳＣＨとの送信タイミングとが重なったときに、ＨＡＲＱ情報判定部の判定結果に応じて、ＰＵＳＣＨに含まれるパケットデータの所定の部分の置換えを行う。該置換えに際して、ＨＡＲＱ情報判定部によりＤＴＸと判定されているときに、上記所定の部分を空白に変更するか、該所定の部分を、ＮＡＣＫを示すデータに変更する。
【００２９】
なお、上記態様の無線端末装置を方法に置き換えて表現したもの、該無線端末装置に対応する無線基地局及び該無線基地局により実行される方法、該無線基地局と無線端末装置を備えた無線通信システム、これらの方法をコンピュータに実行せしめるプログラム、これらのプログラムを記録した記録媒体なども、本発明の態様としては有効である。
【発明の効果】
【００３０】
本発明にかかる技術によれば、ＨＡＲＱによりパケットの再送制御が行われる無線通信システムにおいて、「ＤＴＸ−ＡＣＫ」エラーを効率良く回避することができる。
【図面の簡単な説明】
【００３１】
【図１】第１の実施の形態にかかる無線端末装置を示す図である。
【図２】図１に示す無線端末装置におけるＨＡＲＱ情報判定部によるＨＡＲＱ情報の判定を説明するための図である。
【図３】ＨＡＲＱ情報とＰＵＳＣＨとの送信タイミングとが重なっていない場合における、図１に示す無線端末装置により生成されたＰＵＳＣＨのパケット領域の例を示す図である。
【図４】ＨＡＲＱ情報とＰＵＳＣＨとの送信タイミングとが重なり、かつＨＡＲＱ情報がＡＣＫまたはＮＡＣＫである場合における、図１に示す無線端末装置により生成されたＰＵＳＣＨのパケット領域の例を示す図である。
【図５】ＨＡＲＱ情報とＰＵＳＣＨとの送信タイミングとが重なり、かつＨＡＲＱ情報がＤＴＸである場合における、図１に示す無線端末装置により生成されたＰＵＳＣＨのパケット領域の例を示す図である。
【図６】ＨＡＲＱ情報とＰＵＳＣＨとの送信タイミングとが重なっていない場合における、図１に示す通信装置により生成されたＰＵＳＣＨの例を示す図である。
【図７】ＨＡＲＱ情報とＰＵＳＣＨとの送信タイミングとが重なった場合における、図１に示す通信装置により生成されたＰＵＳＣＨの例を示す図である。
【図８】第２の実施の形態にかかる通信装置を示す図である。
【図９】第３の実施の形態にかかる無線通信システムを示す図である。
【図１０】ＨＡＲＱ情報とＰＵＳＣＨとの送信タイミングとが重なり、かつＨＡＲＱ情報がＡＣＫである場合における、第４の実施の形態にかかる無線端末装置により生成されたＰＵＳＣＨのパケット領域の例を示す図である。
【図１１】ＨＡＲＱ情報とＰＵＳＣＨとの送信タイミングとが重なり、かつＨＡＲＱ情報がＮＡＣＫまたはＤＴＸである場合における、第４の実施の形態にかかる無線端末装置により生成されたＰＵＳＣＨのパケット領域の例を示す図である。
【発明を実施するための形態】
【００３２】
以下、図面を参照して本発明の実施の形態について説明する。説明の明確化のため、以下の記載及び図面は、適宜、省略、及び簡略化がなされている。また、様々な処理を行う機能ブロックとして図面に記載される各要素は、ハードウェアとソフトウェア（プログラム）の組合せによっていろいろな形で実現できることは当業者には理解されるところであり、ハードウェアとソフトウェアのいずれかに限定されるものではない。なお、各図面において、同一の要素には同一の符号が付されており、必要に応じて重複説明は省略されている。
【００３３】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３４】
＜第１の実施の形態＞
図１は、本発明の第１の実施の形態にかかる無線端末装置１００を示す。無線端末装置１００は、例えばＬＴＥに準拠した無線通信システムにおける携帯電話機などの端末であり、ＨＡＲＱ情報判定部１１０とＰＵＳＣＨ生成送信部１２０を備える。
【００３５】
前述したように、ＬＴＥ方式の無線通信システムにおいて、基地局は、端末にダウンリンクのパケットデータの送信に際して、まず、ＰＢＣＨを送信し、その後、ＰＤＣＣＨ、ＰＣＦＩＣＨ、ＰＤＳＣＨ（Ｐｈｙｓｉｃａｌ  Ｄｏｗｎｌｉｎｋ  Ｓｈａｒｅｄ  ＣＨａｎｎｅｌ）を送信する。
【００３６】
端末は、ＰＢＣＨの受信後にＰＣＦＩＣＨを受信し、ＰＣＦＩＣＨから検出したＣＦＩ値（ＣＦＩ：Ｃｏｎｔｒｏｌ  Ｆｏｒｍａｔ  Ｉｎｄｉｃａｔｏｒ）に基づいて、ＰＤＣＣＨのマッピングされているＯＦＤＭシンボル数を確認し、自身向けのＰＤＣＣＨの検出を行う。そして、端末は、自身向けのＰＤＣＣＨが検出できたら、検出したダウンリンク制御情報によりＰＤＳＣＨの受信を開始する。
【００３７】
これらの処理は、通常のＬＴＥ通信システムにおける処理と同様であるので、さらなる詳細な説明を省略する。
【００３８】
本実施の形態において、無線端末装置１００のＨＡＲＱ情報判定部１１０に、ＰＣＦＩＣＨ／ＰＤＣＣＨのＣＲＣチェックの結果Ｃ１と、ＰＤＳＣＨのＣＲＣチェックの結果Ｃ２が入力される。これらのＣＲＣチェックの結果Ｃ１〜Ｃ２は、通常のこの種の端末に備えられる機能ブロック（図示せず）により得られ、ＨＡＲＱ情報判定部１１０に入力される。
【００３９】
ＨＡＲＱ情報判定部１１０は、ＣＲＣチェックの結果Ｃ１〜Ｃ２に基づいて、ＨＡＲＱ情報ＨＩの判定をして、ＨＡＲＱ情報判定部１１０に出力する。ＨＡＲＱ情報ＨＩは、ＰＣＦＩＣＨ／ＰＤＣＣＨの受信、及びＰＤＳＣＨの受信が成功したことを示すＡＣＫと、ＰＣＦＩＣＨ／ＰＤＣＣＨの受信が成功した一方、ＰＤＳＣＨの受信が失敗したことを示すＮＡＣＫと、ＰＣＦＩＣＨ／ＰＤＣＣＨの受信が失敗したことを示すＤＴＸのうちのいずれか１つである。なお、ＰＣＦＩＣＨ／ＰＤＣＣＨの受信が失敗した場合には、端末は、対応するＰＤＳＣＨの受信処理をしておらず、従来では、端末から基地局にＨＡＲＱを送信しないことになっている。
【００４０】
図２を参照して、ＨＡＲＱ情報判定部１１０によるＨＡＲＱ情報ＨＩの判定を説明する。図２に示すように、ＨＡＲＱ情報判定部１１０は、ＰＣＦＩＣＨ／ＰＤＣＣＨ、ＰＤＳＣＨのＣＲＣチェックの結果に基づいてＨＡＲＱ情報ＨＩを判定する。
【００４１】
具体的には、ＰＣＦＩＣＨ／ＰＤＣＣＨのＣＲＣチェックの結果（Ｃ１）と、ＰＤＳＣＨのＣＲＣチェック（Ｃ２）の結果とが共に「ＯＫ」である場合には、ＨＡＲＱ情報判定部１１０は、ＨＡＲＱ情報ＨＩを「ＡＣＫ」と判定する。
【００４２】
一方、ＰＣＦＩＣＨ／ＰＤＣＣＨのＣＲＣチェックの結果が「ＯＫ」であるものの、ＰＤＳＣＨのＣＲＣチェックの結果が「ＮＧ」である場合には、ＨＡＲＱ情報判定部１１０は、ＨＡＲＱ情報ＨＩを「ＮＡＣＫ」と判定する。
【００４３】
さらに、ＰＣＦＩＣＨ／ＰＤＣＣＨのＣＲＣチェックの結果が「ＮＧ」である場合には、ＨＡＲＱ情報判定部１１０は、「ＤＴＸ」と判定する。
【００４４】
ＰＵＳＣＨ生成送信部１２０は、基地局へ送信するアップリンクのパケットデータＰＤ０が入力され、該パケットデータＰＤ０に対して、符号化や誤り訂正等を施した後に、ＯＦＤＭ変調を行ってＰＵＳＣＨを生成して基地局へ送信する。
【００４５】
図３は、基地局に送信するＨＡＲＱ情報とＰＵＳＣＨの送信タイミングが重なっていない場合において、ＰＵＳＣＨ生成送信部１２０により生成されたＰＵＳＣＨ内のパケットデータのシンボル領域（以下「パケットデータシンボル領域」という）ＰＤＳＡを示す。図中縦軸と横軸は、夫々振幅と周波数である。図示のように、パケットデータシンボル領域ＰＤＳＡには、パケットデータＰＤ０に対応する複数のシンボルが含まれている。
【００４６】
基地局に送信するＨＡＲＱ情報とＰＵＳＣＨの送信タイミングが重なった場合においては、ＰＵＳＣＨ生成送信部１２０は、ＨＡＲＱ情報判定部１１０からのＨＡＲＱ情報ＨＩに応じて、当該ＰＵＳＣＨ内のパケットデータシンボル領域ＰＤＳＡ内の所定の領域内のシンボルの置換えを行う。この所定の領域は、ＨＡＲＱ情報に対応する領域であり、以下、「ＨＡＲＱ情報シンボル領域」ＨＩＳＡという。
【００４７】
具体的には、ＨＡＲＱ情報判定部１１０からのＨＡＲＱ情報がＡＣＫまたはＮＡＣＫを示すときに、ＰＵＳＣＨ生成送信部１２０は、パケットデータシンボル領域ＰＤＳＡにおけるＨＡＲＱ情報シンボル領域ＨＩＳＡ内のシンボルを、ＡＣＫまたはＮＡＣＫを示すシンボルに置き換える。図４は、この置換え後のＰＵＳＣＨを示す。
【００４８】
図４において、太線で示すシンボルは、ＡＣＫまたはＮＡＣＫを示すシンボルである。図示のように、この場合、パケットデータシンボル領域ＰＤＳＡにおけるＨＡＲＱ情報シンボル領域ＨＩＳＡ内のシンボルは、パケットデータＰＤ０に対応するシンボルから、ＡＣＫまたはＮＡＣＫを示すシンボルに変更されている。
【００４９】
また、ＨＡＲＱ情報判定部１１０からのＨＡＲＱ情報がＤＴＸを示すときに、ＰＵＳＣＨ生成送信部１２０は、パケットデータシンボル領域ＰＤＳＡにおけるＨＡＲＱ情報シンボル領域ＨＩＳＡを空白にする。図５は、この場合のＰＵＳＣＨを示す。
【００５０】
図５に示すように、この場合、パケットデータシンボル領域ＰＤＳＡにおけるＨＡＲＱ情報シンボル領域ＨＩＳＡ内の、パケットデータＰＤ０に対応するシンボルが削除され、ＨＡＲＱ情報シンボル領域ＨＩＳＡは、無信号領域になっている。
【００５１】
上記では、例として、ＯＦＤＭ変調時において、パケットデータシンボル領域ＰＤＳＡにおけるＨＡＲＱ情報シンボル領域ＨＩＳＡ内のシンボルを置き換えることにより、パケットデータシンボル領域ＰＤＳＡの構成を図４または図５に変更する場合を説明したが、図４と図５のような構成に変更することができれば、上記置換えを、ＯＦＤＭ変調前に行うようにしてもよい。これについて、図６と図７を参照して説明する。
【００５２】
図６は、パケットデータＰＤ０のＯＦＤＭ変調前の構成を示す。図６において、斜線により塗り潰された各小さい四方形は、夫々１つのＯＦＤＭシンボルに対応するデータであり、以下「シンボルデータ」という。図示のように、ＯＦＤＭ変調前のパケットデータＰＤ０は、複数のシンボルデータにより構成される。
【００５３】
基地局に送信するＨＡＲＱ情報とＰＵＳＣＨの送信タイミングが重なっていない場合において、ＰＵＳＣＨ生成送信部１２０は、図６に示すパケットデータＰＤ０をそのまま変調する。この場合、ＰＵＳＣＨ生成送信部１２０により生成されたＰＵＳＣＨ内のパケットデータシンボル領域ＰＤＳＡは、図３に示したのと同様の構成になる。
【００５４】
基地局に送信するＨＡＲＱ情報とＰＵＳＣＨの送信タイミングが重なった場合においては、ＰＵＳＣＨ生成送信部１２０は、ＨＡＲＱ情報判定部１１０からのＨＡＲＱ情報ＨＩに応じて、図６に示すＯＦＤＭ変調前のパケットデータＰＤ０に対して、所定の部分のデータの置換えを行う。この所定の部分は、ＨＡＲＱ情報に対して予め定められた部分であり、以下、「ＨＡＲＱ情報データ領域」ＨＩＤＡという。
【００５５】
具体的には、図７に示すように、ＨＡＲＱ情報判定部１１０からのＨＡＲＱ情報がＡＣＫまたはＮＡＣＫを示すときに、ＰＵＳＣＨ生成送信部１２０は、パケットデータＰＤ０のＨＡＲＱ情報データ領域ＨＩＤＡ内のデータを、ＡＣＫまたはＮＡＣＫを示すデータに置き換える。
【００５６】
また、ＨＡＲＱ情報判定部１１０からのＨＡＲＱ情報がＤＴＸを示すときに、ＰＵＳＣＨ生成送信部１２０は、パケットデータＰＤ０のＨＡＲＱ情報データ領域ＨＩＤＡのデータを「０」にする。これにより、パケットデータＰＤ０内のＨＡＲＱ情報データ領域ＨＩＤＡは、空白領域になる。
【００５７】
ＰＵＳＣＨ生成送信部１２０は、上記置換えの後にＯＦＤＭ変調をする。ＯＦＤＭ変調後のＰＵＳＣＨ内のパケットデータシンボル領域ＰＤＳＡは、図４または図５に示すようになる。
【００５８】
本第１の実施の形態の無線端末装置１００が得られる効果については、後述する第２の実施の形態の無線基地局２００の後に説明する。
【００５９】
＜第２の実施の形態＞
図８は、本発明の第２の実施の形態にかかる無線基地局２００を示す。無線基地局２００は、例えばＬＴＥに準拠した無線通信システムにおける基地局であり、復号部２１０とＨＡＲＱ情報検出部２２０を備える。
【００６０】
復号部２１０は、端末から受信したＰＵＳＣＨを復号し、該ＰＵＳＣＨ内のパケットデータを得る。
【００６１】
本実施の形態の無線基地局２００は、第１の実施の形態の無線端末装置１００からＰＵＳＣＨを受信する。
【００６２】
この種の無線通信システムにおいて、端末からのＰＵＳＣＨやＨＡＲＱ情報の送信は、基地局によりスケジューリングされる。そのため、無線基地局２００は、今受信したＰＵＳＣＨに、ＨＡＲＱ情報が含まれているか否かを把握している。無線基地局２００の復号部２１０は、復号したＰＵＳＣＨにＨＡＲＱ情報ＨＩが含まれていると判定した場合に、さらに、ＨＡＲＱ情報シンボル領域ＨＩＳＡ内のデータ（すなわちＨＡＲＱ情報ＨＩ）の復号を行う。また、この場合、復号部２１０は、復号により得られたＰＵＳＣＨ内のパケットデータＤ１（ＨＡＲＱ情報ＨＩを含む）をＨＡＲＱ情報検出部２２０に出力する。
【００６３】
ＨＡＲＱ情報検出部２２０は、復号部２１０からのパケットデータＰＤ１のうちの、ＨＡＲＱ情報ＨＩに割り当てられた部分のデータに基づいて、当該ＰＵＳＣＨの送信元からのＨＡＲＱ情報ＨＩの内容を判定する。図６を参照すると、該部分は、ＨＡＲＱ情報データ領域ＨＩＤＡである。
【００６４】
ＨＡＲＱ情報検出部２２０は、具体的には、ＨＡＲＱ情報データ領域ＨＩＤＡが空白ではない場合には、該領域内のデータの内容がＡＣＫとＮＡＣＫのいずれを示すかを判定する。一方、ＨＡＲＱ情報検出部２２０は、ＨＡＲＱ情報領域ＨＩＡが空（０）である場合には、ＤＴＸと判定する。
【００６５】
このように、第１の実施の形態の無線端末装置１００は、ＨＡＲＱ情報とＰＵＳＣＨの送信タイミングが重なったときに、ＡＣＫ／ＮＡＣＫである場合には、該ＰＵＳＣＨに含まれるパケットデータの所定の部分をＡＣＫ／ＮＡＣＫで上書きし、ＤＴＸである場合には、該部分を空白にする。そのため、上記ＰＵＳＣＨを受信した第２の実施の形態の無線基地局２００は、該ＰＵＳＣＨ内のパケットデータＰＤ１に含まれた、ＨＡＲＱ情報データ領域ＨＩＤＡに該当する部分のデータを参照することにより、ＡＣＫ／ＮＡＣＫ／ＤＴＸを判定することができる。
【００６６】
従って、無線端末装置１００と無線基地局２００により構成された無線通信システムによれば、基地局に大きな負担をかけずに「ＤＴＸ−ＡＣＫ」エラーを回避することができ、ひいては、ＰＤＳＣＨのスループットを高めることができる。
【００６７】
＜第３の実施の形態＞
図９は、本発明の第３の実施の形態にかかる無線通信システム３００を示す。無線通信システム３００は、ＨＡＲＱにより再送制御が行われるものであり、例えばＬＴＥに準拠する。
【００６８】
図９に示すように、無線通信システム３００は、第２の実施の形態にかかる無線基地局２００に対応する無線基地局４００と、第１の実施の形態にかかる無線端末装置１００に対応する無線端末装置５００を備え、例えばＬＴＥに準拠する。なお、図９において、無線端末装置５００について１つのみ示しているが、無線端末装置５００が複数あってもよい。
【００６９】
無線基地局４００は、ネットワーク部４１０、チャネル符号部４２０、ＯＦＤＭ変調部４２２、送信部４２４、受信部４５０、ＯＦＤＭ復調部４５２、チャネル復号部４５４、制御部４６０、及び送信アンテナ４３０と受信アンテナ４４０を有する。無線端末装置５００は、データ入力部５１０、データ符号部５１２、チャネル符号部５２０、ＯＦＤＭ変調部５２２、送信部５２４、受信部５５０、ＯＦＤＭ復調部５５２、チャネル復号部５５４、データ出力処理部５５６、データ出力部５５８、制御部５６０、及び送信アンテナ５３０と受信アンテナ５４０を備える。
【００７０】
無線基地局４００において、ネットワーク部４１０は、無線端末装置５００に送信するデータを上層部（図示せず）から受け取ってチャネル符号部４２０に出力し、無線端末装置５００から受信された後、受信部４５０、ＯＦＤＭ復調部４５２、チャネル復号部４５４により処理されたデータをチャネル復号部４５４から受け取って上層部に出力する。
【００７１】
チャネル符号部４２０は、ネットワーク部４１０からのデータに対して誤り訂正等を施してＯＦＤＭ変調部４２２に出力し、ＯＦＤＭ変調部４２２は、チャネル符号部４２０からのデータに対して、ＱＰＳＫや１６ＱＡＭ、６４ＱＡＭにＯＦＤＭ変調する。
【００７２】
送信部４２４は、ＯＦＤＭ変調部４２２からの信号を搬送波周波数に乗せ、送信アンテナ４３０を介して無線端末装置５００に向けて送信する。
【００７３】
受信部４５０は、受信アンテナ４４０を介して無線端末装置５００からの信号を受信して、ＯＦＤＭ復調部４５２に出力する。
【００７４】
ＯＦＤＭ復調部４５２は、受信部４５０からの信号に対してＯＦＤＭ復調をしてチャネル復号部４５４に出力する。
【００７５】
チャネル復号部４５４は、ＯＦＤＭ復調部４５２からのデータに対して、誤り訂正符号等を復号し、ネットワーク部４１０へデータを渡す。
【００７６】
制御部４６０は、無線基地局４００における変調／復調の制御、チャネル符号／復号の制御、再送制御、ネットワーク部４１０の制御を行う。
【００７７】
無線端末装置５００において、データ入力部５１０は、無線基地局４００に送信するデータをデータ符号部５１２に出力する。データ符号部５１２は、データ入力部５１０からのデータを符号化してチャネル符号部５２０に出力する。
【００７８】
チャネル符号部５２０は、データ符号部５１２により符号化されたデータに対して誤り訂正等を施し、ＯＦＤＭ変調部５２２に出力し、ＯＦＤＭ変調部５２２は、チャネル符号部５２０からのデータをＯＦＤＭ変調し、送信部５２４に出力する。
【００７９】
送信部５２４は、ＯＦＤＭ変調部５２２からの信号を搬送波周波数に乗せ、送信アンテナ５３０を介して無線基地局４００に送信する。
【００８０】
受信部５５０は、受信アンテナ５４０を介して無線基地局４００からの信号を受信して、ＯＦＤＭ復調部５５２に出力する。
【００８１】
ＯＦＤＭ復調部５５２は、受信部５５０からの信号に対してＯＦＤＭ復調をしてチャネル復号部５５４に出力する。
【００８２】
チャネル復号部５５４は、ＯＦＤＭ復調部５５２からのデータに対して、誤り訂正符号等を復号して、データ出力処理部５５６に出力する。
【００８３】
データ出力処理部５５６は、チャネル復号部５５４からのデータに対してデータ処理を行い、データ出力部５５８に出力する。データ出力部５５８は、データ出力処理部５５６からのデータを例えば上層部に出力する。
【００８４】
制御部５６０は、無線端末装置５００における変調／復調の制御、チャネル符号／復号の制御、再送制御、データ制御を行う。
【００８５】
ダウンリンク時、すなわち無線基地局４００から無線端末装置５００へパケットデータが送信されたときに、無線端末装置５００において、受信部５５０は、受信アンテナ５４０を介して、無線基地局４００の送信アンテナ４３０から送信されたＰＣＦＩＣＨ、ＰＤＣＣＨ、ＰＤＳＣＨを受信すると、それらをＯＦＤＭ復調部５５２に出力する。ＯＦＤＭ復調部５５２は、これらの信号のＯＦＤＭ復調を行って、復調後のデータをチャネル復号部５５４に出力する。チャネル復号部５５４は、ＯＦＤＭ復調部５５２によりＯＦＤＭ復調されたＰＣＦＩＣＨ、ＰＤＣＣＨ、ＰＤＳＣＨの復号をして、データ出力処理部５５６と制御部５６０に出力する。
【００８６】
制御部５６０は、チャネル復号部５５４により復号されたＰＣＦＩＣＨ／ＰＤＣＣＨ、ＰＤＳＣＨのＣＲＣチェックを行うと共に、これらのＣＲＣチェックの結果に基づいて、ＨＡＲＱ情報ＨＩを判定してＯＦＤＭ変調部５２２に出力する。なお、制御部５６０は、第１の実施の形態にかかる無線端末装置１００におけるＨＡＲＱ情報判定部１１０と同様の手法（図２を参照）でＨＡＲＱ情報ＨＩの判定を行う。すなわち、本実施の形態において、制御部５６０は、無線端末装置１００におけるＨＡＲＱ情報判定部１１０の機能を備える。
【００８７】
ＯＦＤＭ変調部５２２は、制御部５６０からのＨＡＲＱ情報ＨＩに応じて、無線基地局４００に返送する応答信号を生成して送信部５２４に出力する。
【００８８】
アップリンク時、すなわち、無線端末装置５００から無線基地局４００へデータを送信するときに、無線端末装置５００において、データ符号部５１２は、データ入力部５１０から入力されたデータを符号化し、チャネル符号部５２０は、データ符号部５１２により符号化されたデータの誤り訂正等を施す。そして、ＯＦＤＭ変調部５２２は、チャネル符号部５２０により誤り訂正等を施されたデータをＯＦＤＭ変調して送信部５２４に出力する。送信部５２４が送信アンテナ５３０を介して無線基地局４００に送出した信号は、前述したように、パケットデータが含まれているときにはＰＵＳＣＨであり、パケットデータが含まれない場合にはＰＵＣＣＨである。
【００８９】
ＨＡＲＱ情報ＨＩに応じた応答信号とＰＵＳＣＨの送信タイミングが重なったときに、ＯＦＤＭ変調部５２２は、下記のように動作する。
【００９０】
制御部５６０からのＨＡＲＱ情報ＨＩがＡＣＫまたはＮＡＣＫを示すときに、ＯＦＤＭ変調部５２２は、ＰＵＳＣＨのパケットデータシンボル領域ＰＤＳＡにおけるＨＡＲＱ情報シンボル領域ＨＩＳＡ内のシンボルを、ＡＣＫまたはＮＡＣＫを示すシンボルに置き換える。
【００９１】
一方、制御部５６０からのＨＡＲＱ情報ＨＩがＤＴＸを示すときには、ＯＦＤＭ変調部５２２は、ＰＵＳＣＨのパケットデータシンボル領域ＰＤＳＡにおけるＨＡＲＱ情報シンボル領域ＨＩＳＡを空白にする。
【００９２】
このようにして生成されたＰＵＳＣＨは、無線端末装置５００の送信部５２４により送信アンテナ５３０を介して送信され、無線基地局４００の受信アンテナ４４０を介して受信部４５０により受信され、ＯＦＤＭ復調部４５２に入力される。
【００９３】
無線基地局４００において、ＯＦＤＭ復調部４５２は、上記ＰＵＳＣＨをＯＦＤＭ復調し、チャネル復号部４５４は、ＯＦＤＭ復調部４５２によりＯＦＤＭ復調されたＰＵＳＣＨ復号（ＨＡＲＱ情報ＨＩが含まれている場合にはＨＡＲＱ情報ＨＩの復号を含む）行う。
【００９４】
制御部４６０は、ＰＵＳＣＨ内にＨＡＲＱ情報ＨＩが含まれている場合に、ＨＡＲＱ情報データ領域ＨＩＤＡ内のデータに基づいて判定を行う。具体的には、ＨＡＲＱ情報データ領域ＨＩＤＡ内のデータが０ではない場合には、該領域内のデータがＡＣＫとＮＡＣＫのいずれを示すかによってＨＡＲＱ情報をＡＣＫまたはＮＡＣＫに判定する。一方、領域内のデータが全て０である場合には、制御部４６０は、ＤＴＸと判定する。すなわち、本実施の形態において、制御部４６０は、無線基地局２００におけるＨＡＲＱ情報検出部２２０の機能を備える。
【００９５】
本実施の形態の無線通信システム３００は、第１の実施の形態にかかる無線端末装置１００と、第２の実施の形態にかかる無線基地局２００を具現化したものであり、無線端末装置１００と無線基地局２００により得られる全ての効果を得ることができる。
【００９６】
本第２の実施の形態において、無線端末装置５００は、ＰＵＳＣＨとＨＡＲＱ情報の送信タイミングが重なったときに、ＯＦＤＭ変調部５２２により、ＰＵＳＣＨに含まれるパケットデータシンボル領域ＰＤＳＡにおけるＨＡＲＱ情報シンボル領域ＨＩＳＡ内のシンボルを、ＨＡＲＱ情報を示すシンボル（ＤＴＸの場合の無信号）に置き換える。無線端末装置１００のときに説明したように、この置換えは、ＯＦＤＭ変調前のパケットデータに対して行うようにしてもよい。すなわち、制御部５６０は、ＨＡＲＱ情報ＨＩをチャネル符号部５２０に出力し、チャネル符号部５２０により、ＯＦＤＭ変調前のパケットデータに対して、ＨＡＲＱ情報データ領域ＨＩＤＡ内のデータの置換えを行う。
【００９７】
＜第４の実施の形態＞
上述した各実施の形態において、無線端末装置は、ＰＵＳＣＨとＨＡＲＱ情報の送信タイミングが重なり、かつ、送信すべきＨＡＲＱ情報がＤＴＸである場合に、ＰＵＳＣＨに含まれるパケットデータの所定の部分を空白にする置換えを行っている。空白にする代わりに、ＮＡＣＫを示すデータまたはシンボルに置き換えるようにしてもよい。
【００９８】
この場合、無線端末装置から送出したＰＵＳＣＨのパケットデータシンボル領域ＰＤＳＡの構成は、図１０と図１１に示すようになる。
【００９９】
図１０は、送信するＨＡＲＱ情報がＡＣＫである場合のＰＵＳＣＨのパケットデータシンボル領域ＰＤＳＡの構成であり、図１１は、送信するＨＡＲＱ情報がＮＡＣＫまたはＤＴＸである場合のＰＵＳＣＨのパケットデータシンボル領域ＰＤＳＡの構成である。図１１において、パケットデータシンボル領域ＰＤＳＡにおけるＨＡＲＱ情報シンボル領域ＨＩＳＡ内のシンボルを点線で示したのは、図１０に示すパケットデータシンボル領域ＰＤＳＡにおけるＨＡＲＱ情報シンボル領域ＨＩＳＡ内のシンボルと区別するためである。
【０１００】
こうした場合において、ＤＴＸであっても、無線基地局がＮＡＣＫと判定して再送を行うため、「ＤＴＸ−ＡＣＫ」エラーによりパケットが欠落したままとなる問題を回避することができる。
【０１０１】
以上、実施の形態をもとに本発明を説明した。実施の形態は例示であり、本発明の主旨から逸脱しない限り、上述した各実施の形態に対してさまざまな変更、増減、組合せを行ってもよい。これらの変更、増減、組合せが行われた変形例も本発明の範囲にあることは、当業者に理解されるところである。
【符号の説明】
【０１０２】
１００  無線端末装置
１１０  ＨＡＲＱ情報判定部
１２０  ＰＵＳＣＨ生成送信部
２００  無線基地局
２１０  復号部
２２０  ＨＡＲＱ情報検出部
３００  無線通信システム
４００  無線基地局
４１０  ネットワーク部
４２０  チャネル符号部
４２２  ＯＦＤＭ変調部
４２４  送信部
４３０  送信アンテナ
４４０  受信アンテナ
４５０  受信部
４５２  ＯＦＤＭ復調部
４５４  チャネル復号部
４６０  制御部
５００  無線端末装置
５１０  データ入力部
５１２  データ符号部
５２０  チャネル符号部
５２２  ＯＦＤＭ変調部
５２４  送信部
５３０  送信アンテナ
５４０  受信アンテナ
５５０  受信部
５５２  ＯＦＤＭ復調部
５５４  チャネル復号部
５５６  データ出力処理部
５５８  データ出力部
５６０  制御部
Ｃ１  ＰＣＦＩＣＨ／ＰＤＣＣＨのＣＲＣチェックの結果
Ｃ２  ＰＤＳＣＨのＣＲＣチェックの結果
ＨＩ  ＨＡＲＱ情報
ＨＩＤＡ  ＨＡＲＱ情報データ領域
ＰＤ０  パケットデータ
ＰＤ１  パケットデータ
ＰＤＳＡ  パケットデータシンボル領域
ＨＩＳＡ  ＨＡＲＱ情報シンボル領域
【図１】
2014183357.tif 000003
【図２】
2014183357.tif 000004
【図３】
2014183357.tif 000005
【図４】
2014183357.tif 000006
【図５】
2014183357.tif 000007
【図６】
2014183357.tif 000008
【図７】
2014183357.tif 000009
【図８】
2014183357.tif 000010
【図９】
2014183357.tif 000011
【図１０】
2014183357.tif 000012
【図１１】
2014183357.tif 000013